(57)【要約】【課題】蛍光灯の被膜を容易かつ確実に切断することができる蛍光灯被膜の切断装置を提供する。【解決手段】この蛍光灯被膜の切断装置１は、被膜３によって外周面２ａが被覆された蛍光灯２を長手方向に挿通可能な筒体５と、前記筒体５に設けられるとともに当該筒体５に挿通された蛍光灯２の被膜３を切断可能な切断刃６とを備えている。【選択図】      図１
2005022009.tif 000002
【特許請求の範囲】
【請求項１】
被膜によって外周面が被覆された蛍光灯を長手方向に挿通可能な筒体と、
前記筒体に設けられるとともに当該筒体に挿通された蛍光灯の被膜を切断可能な切断刃とを備えていることを特徴とする蛍光灯被膜の切断装置。
【請求項２】
前記切断刃を前記筒体の径方向内方側に付勢する弾性体を備えていることを特徴とする請求項１に記載の蛍光灯被膜の切断装置。
【請求項３】
前記切断刃は、回転に伴って蛍光灯の被膜を切断する円板状の回転刃であることを特徴とする請求項１又は２に記載の蛍光灯被膜の切断装置。
【請求項４】
前記切断刃は、前記筒体の周方向に複数配置されていることを特徴とする請求項１〜３のいずれかに記載の蛍光灯被膜の切断装置。
【請求項５】
前記切断刃は、前記筒体の周方向に複数箇所設けられ、挿通される前記蛍光灯が当該複数の切断刃によって、若しくは、当該複数の切断刃と前記筒体の内周面とによって、少なくとも３点で支持されるように配置されていることを特徴とする請求項４に記載の蛍光灯被膜の切断装置。
【発明の詳細な説明】
【０００１】
【発明の属する技術分野】
本発明は、使用済みの蛍光灯に被覆された被膜を切断する蛍光灯被膜の切断装置に関するものである。
【０００２】
【従来の技術】
近年、廃棄物は増加の一途を辿っている。ところが、その廃棄物を埋め立てる埋立地が逼迫するとともに、新規立地が困難な状況にある。そこで、資源循環型社会を構築すべく廃棄物発生量を削減するとともに、廃棄物のリサイクルが推進されている。このような背景において、使用済みで廃棄される蛍光灯も従来のように埋め立てるのではなく、資源として再利用されるようになってきた。一般家庭やオフィス等から排出された使用済み蛍光灯は、分別収集されて一時保管される。所定量の使用済み蛍光灯が集まった時点で再資源化施設へ搬送され、新たな資源として再生される。ここで、問題となるのが、収集された使用済み蛍光灯の保管・搬送である。使用済み蛍光灯を製品のままの形状（割れていない状態）で保管・搬送する場合、容積が嵩み、保管効率及び搬送効率において不経済が生じる。そのため、収集された使用済み蛍光灯は、粗破砕することによって容積を小さくする減容化処理が行われている。この減容化処理を行う破砕装置として、例えば、特許文献１に記載のものがある。
【０００３】
【特許文献１】
特開平１１−３１９６２０号公報（第１図）
【０００４】
【発明が解決しようとする課題】
ところで、処理対象物である使用済み蛍光灯には、飛散防止被膜付のものがある。この飛散防止被膜付蛍光灯は、ガラス管が割れた場合にガラス片が飛散するのを防止するために、ポリエステル、又は、ポリエチレンテレフタレート等の合成樹脂からなるフィルム状の被膜で蛍光灯の外周面全体が被覆されている。利用用途としては、カバーが設けられていない照明装置、特に、人が多く集まる施設や電車内等で幅広く利用されている。
この被覆された蛍光灯を破砕装置で破砕した場合、破砕されたガラス片等に被膜が混ざるので、リサイクル効率が低下するという問題があった。
【０００５】
そのため、破砕装置によって減容化処理する前段に、前処理として、被覆された蛍光灯から被膜を切断・剥離する作業を行う必要があった。この作業は、市販のカッターナイフ等を用い、作業員による手作業で行うので、蛍光灯の長手方向に一度に被膜を切断することが難しく、分割して切断する必要があった。そのため、被膜に切断されていない未切断部が残存し易く、上手く剥離できない場合があった。このように、前処理における被膜を切断する作業は、非常に困難であるとともに手間と時間を要していた。
本発明は上記の事情に鑑みてなされたものであって、蛍光灯の被膜を容易かつ確実に切断することができる蛍光灯被膜の切断装置を提供することを目的とする。
【０００６】
【課題を解決するための手段】
本発明は、被膜によって外周面が被覆された蛍光灯を長手方向に挿通可能な筒体と、前記筒体に設けられるとともに当該筒体に挿通された蛍光灯の被膜を切断可能な切断刃とを備えていることを特徴とする。
本発明によれば、筒体に蛍光灯を挿入することによって、容易かつ確実に蛍光灯被膜を切断することができる。
【０００７】
また、前記切断刃を前記筒体の径方向内方側に付勢する弾性体を備えているのが好ましい。この場合には、切断刃が、筒体の径方向内方側へ付勢されているので、切断刃を蛍光灯の形状により一層追従させることができる。従って、挿通された蛍光灯の被膜を確実に切断することができる。
【０００８】
また、前記切断刃は、回転に伴って蛍光灯の被膜を切断する円板状の回転刃であるのが好ましい。この場合には、回転に伴って被膜を切断するので、回転刃の特定箇所が常に被膜に当接して切断することがない。従って、切断刃の寿命を長寿命にすることができる。
【０００９】
また、前記切断刃は、前記筒体の周方向に複数配置されているのが好ましい。この場合には、蛍光灯被膜を周方向において複数箇所で切断するので、より確実に被膜を切断することができるとともに、より一層容易に剥離することができる。
【００１０】
また、前記切断刃は、前記筒体の周方向に複数箇所設けられ、挿通される前記蛍光灯が当該複数の切断刃によって、若しくは、当該複数の切断刃と前記筒体の内周面とによって、少なくとも３点で支持されるように配置されているのが好ましい。この場合には、筒体に挿通される蛍光灯が、複数箇所に配置された切断刃によって、若しくは、切断刃と筒体の内周面とによって、少なくとも３点で支持されるので、筒体に蛍光灯を挿通する時に生じる蛍光灯のぶれを防止することができる。
【００１１】
【発明の実施の形態】
以下、図面を参照しつつ、本発明の実施形態を説明する。
図１に、蛍光灯被膜の切断装置１に蛍光灯２を挿通した状態の横断面図を示し、図２に、図１における部分Ａ矢視図を示す。
この蛍光灯被膜の切断装置１は、蛍光灯被膜３によって被覆された蛍光灯２を長手方向に挿通可能なスリット４を有する筒体５と、筒体５の外周面５１に設けられ、蛍光灯被膜３を切断する板状の切断刃６を有する切断部７とを備えている。切断刃６は、スリット４に挿通されており、筒体５の径方向内方側に突出している。また、切断部７は、切断刃６の他に、筒体５の外周面５１に立設して切断刃６を固定する板状の固定部８と、切断刃６を筒体５の径方向内方側に付勢する付勢部９とを有している。この切断部７は、図２に示すように、筒体５の外周面５１に、例えば、周方向に２箇所設けられ、互いに９０度の間隔で配置されている。また、筒体５の軸方向においては、同位置に配置されている。
【００１２】
処理対象物である蛍光灯２は、市販されている飛散防止被膜付の直管形蛍光ランプで、蛍光灯被膜３の他に、ガラスで構成された円筒状のガラス管部２１と、ガラス管部２１の両端に設けられた金属からなる口金部２２と、ガラス管部２１と口金部２２との境界に形成された段差部２３とを有している。蛍光灯被膜３は、合成樹脂、例えば、ポリエステルからなるフィルム状のもので、ガラス管部２１及び口金部２２の外周面２１ａ，２２ａに密着した状態で被覆されている。
なお、蛍光灯２に蛍光灯被膜３が被覆されることによって、蛍光灯２が照明装置（図示せず。）に装着されて光源として使用されている時、万が一ガラス管部２１が割れるようなことがあった場合においても、ガラス片が周囲に飛散するのを防止することができる。
【００１３】
筒体５は、両端が開放された、例えば、円筒状のパイプであり、筒体５の長手方向に所定の長さで形成されたスリット４の他に、蛍光灯２を挿入する挿入口５３と、挿入された蛍光灯２を取り出す取出口５４とを有している。この筒体５の直径は、蛍光灯２の直径よりも若干大きく形成されており、蛍光灯２を長手方向に挿通することができる。また、筒体５の長さは、蛍光灯２の長さよりも若干短く形成されており、挿通される蛍光灯２の挿入程度に係わらず、蛍光灯２の一部が筒体５から露出するようにされている。また、スリット４は、取出口５４側に形成され、スリット４の幅は、板状の切断刃６の幅より若干大きく形成されている。
【００１４】
固定部８は、例えば、扉に使用される蝶番で、筒体５の径外方向に立設した固定板８１と、固定板８１の一端に軸８２を介して回転自在に軸支された回転板８３と、固定板８１と回転板８３とが閉じた状態で貫通する複数の貫通穴８４とを有している。この蝶番８は、筒体５の周方向に同位置で配置されるとともに、筒体５の軸方向において、スリット４に対して所定の間隔をおいて筒体５の挿入口５３側に配置されている。また、固定板８１は、軸８２の反対側の一辺が筒体５に溶接されている。
【００１５】
切断刃６は、例えば、市販されている刃折り式カッターナイフの板状刃で、胴体部６１の長手方向先端部６１ａに形成された刃部６２と、胴体部６１に設けられた固定穴６３と、先端部６１ａの折曲切断を容易にする切断溝６４とを有している。板状刃６は、胴体部６１が蝶番８の固定板８１と回転板８３との間に間挿されており、胴体部６１の先端部６１ａが蝶番８から突出するとともに、スリット４に向けて傾斜して配置されている。具体的には、筒体５の軸に対して２０度傾斜して配置されている。また、先端部６１ａの刃部６２は、スリット４を貫通して筒体５の内周面５５より内方側に所定量突出している。なお、板状刃６の傾斜角は、筒体５の軸に対して１５〜４５度の範囲であれば良い。また、板状刃６は、固定穴６３と蝶番８の貫通穴８４とに一対のボルト・ナット８５が挿通され、脱着自在に固定されており、そのボルト８５ａを中心に板状刃６が、若干回転可能である。
【００１６】
また、板状刃６は、切断溝６４に沿って先端部６１ａを折曲切断することによって、新たな刃部６２を形成することができる。この時、板状刃６の長さが短くなるので、先端部６１ａの刃部６２が、筒体５の内周面５５より内方側に突出しなくなる。その場合には、ボルト・ナット８５で固定する固定穴６３を複数の貫通穴８４のいずれかに移動することによって、先端部６１ａの刃部６２が筒体５の内周面５５より内方側に所定量突出するように調整することができる。また、板状刃６を取り替え時には、ボルト・ナット８５を取り外し、回転板８３を回転して固定板８１との間を開拡することで容易に取り替えることができる。
【００１７】
付勢部９は、底面部９１ａに支持溝９１ｂを有する円柱状の刃支持部９１と、刃支持部９１を付勢する弾性体として、例えば、コイル状の圧縮バネ９２と、バネ９２を押圧する円柱状の押圧部９３と、刃支持部９１とバネ９２と押圧部９３とを収容する円筒状のケース部９４と、ケース部９４の一端側に螺設された蓋部９５と、先端に押圧部９３が固定されるとともに蓋部９５に螺設された調整ボルト９６とを有している。この付勢部９は、筒体５の取出口５４側に傾斜して配置されており、スリット４に傾斜して挿通された板状刃６の先端部６１ａ側の胴体部６１を、その直上から筒体５の径方向内方側に付勢している。
また、刃支持部９１の支持溝９１ｂは、径方向に伸びて形成されており、板状刃６の胴体部６１を挟持することができる。
【００１８】
このように構成された付勢部９は、調整ボルト９６を回転させることによって、ケース部９４内へ突出する調整ボルト９６の長さを調整することができる。つまり、調整ボルト９６の先端に固定された押圧部９３がケース部９４内で上下移動する。押圧部９３が上下移動することによって、バネ９２が伸縮するので、刃支持部９１が板状刃６を付勢する力を調整することができる。
【００１９】
上記のように構成された蛍光灯被膜の切断装置１を用いて、蛍光灯２から蛍光灯被膜３を切断・剥離する作業について説明する。
まず、筒体５の挿入口５３より蛍光灯２を長手方向に挿入する。蝶番８に固定された板状刃６の刃部６２が、付勢部９によって筒体５の径方向内方側（蛍光灯２の外周面２ａ側）に付勢され、挿入された蛍光灯２の蛍光灯被膜３に所定の圧力で当接する。そして、挿入された蛍光灯２を取出口５４から引き抜くようにスライドさせる。この時、板状刃６の刃部６２によって、蛍光灯被膜３は、蛍光灯２が長手方向にスライドするに伴って切断される。切断された蛍光灯被膜３は、切断された状態のまま蛍光灯２とともに取り出される。蛍光灯２が筒体５から完全に取り出された後に、作業員の手によって切断された蛍光灯被膜３が剥離され、蛍光灯被膜３の切断・剥離作業が完了する。
【００２０】
上記したように、この蛍光灯被膜の切断装置１によれば、筒体５に蛍光灯２をただ単に挿入するだけで容易に蛍光灯被膜３を切断することができる。また、板状刃６は、蝶番８に回転可能に固定されるとともに付勢部９によって蛍光灯２の外周面２ａ側に付勢されているので、蛍光灯２の段差部２３においても切断刃６の刃部６２をその形状に沿って柔軟に追従させることができる。更に、蛍光灯２の長手方向に一度に蛍光灯被膜３を切断できるので、手作業で分割して切断する時に生じる未切断部が残存するのを防止することができる。また、蛍光灯２の周方向２箇所で蛍光灯被膜３を切断するので、より確実に蛍光灯被膜３を切断することができる。また、蛍光灯２は、筒体５の径方向内方側に付勢された２箇所の板状刃６と、筒体５の内周面５５とによって、３点で支持される。従って、筒体５内で蛍光灯２がスライドされる時に生じる蛍光灯２のぶれを防止することができる。つまり、より安定して切断刃６の刃部６２を蛍光灯被膜３に当接させることができる。
【００２１】
図３に、本発明の第二実施形態に係る切断装置１の横断面図を示す。
この蛍光灯被膜の切断装置１は、切断部７の切断刃６に円板状の回転刃を採用していることを特徴としている。回転刃６を有する切断部７は、図３に示すように、筒体５の径方向に対向して２箇所設けられ、互いの切断部７が軸方向に所定間隔をおいて配置されている。この切断部７は、スリット４の直上に立設した付勢部９の刃支持部９１に、回転刃６を固定する固定部８が設けられている。固定部８は、板状の支持板８６を有しており、円柱状の刃支持部９１の底面部９１ａに形成された支持溝９１ｂに嵌入されるとともに、ボルト・ナット８５によって脱着自在に固定されている。また、支持板８６のスリット４側の端部８６ａには、回転刃６が軸８７を介して回転自在かつ脱着自在に軸支されている。従って、回転刃６の交換を容易に行うことができる。回転刃６は、ベースとなる円板状の胴体部６１と、その周縁に形成された刃部６２とを有しており、刃部６２がスリット４を貫通して、筒体５の内周面５５より内方側に所定量突出している。また、回転刃６は、付勢部９によって筒体５の径方向内方側に付勢されている。
【００２２】
回転刃６は、胴体部６１の周縁の全てが刃部６２で構成されており、刃部６２がスライドする蛍光灯２の蛍光灯被膜３と当接しつつ回転することによって、蛍光灯被膜３を切断することができる。つまり、板状刃のように刃部６２の特定箇所が常に蛍光灯被膜３と当接して切断するのではなく、蛍光灯被膜３を切断する刃部６２の位置が周上で移動する。従って、回転刃６は、板状刃に比べて長寿命である。
【００２３】
なお、本発明は上述した実施形態に限定されるものではない。
例えば、切断部７は、筒体５の周方向に２箇所設けられ、互いに９０度又は１８０度の間隔で配置されても良く、その配置される角度を限定するものではない。また、筒体５の軸方向についても限定するものではない。更に、同切断部７は、筒体５の周方向に１箇所設けられても良く、その数を限定するものではない。
また、付勢部９は、切断刃６を筒体５の径方向内方側に付勢すれば良く、その構成は本実施形態に限定するものではない。また、切断部７は、筒体５の端部に設けられ、切断刃６の刃部６２が筒体５の端部から軸方向外方側へ突出し、蛍光灯２の外周面２ａと当接して蛍光灯被膜３を切断しても良い。また、蛍光灯２は、複数の切断刃６同士で支持されても良い。
【００２４】
【発明の効果】
本発明によれば、筒体の内周面より内方側へ突出した切断刃の刃部によって、筒体に蛍光灯を挿通させるだけで、蛍光灯被膜を容易かつ確実に切断することができる。従って、蛍光灯被膜をより一層容易に剥離することができるとともに、この作業に要する手間と時間を削減することができる。
【図面の簡単な説明】
【図１】本発明の第一実施形態に係る蛍光灯被膜の切断装置に蛍光灯を挿通させた状態の横断面図である。
【図２】図１における部分Ａ矢視図である。
【図３】本発明の第二実施形態に係る蛍光灯被膜の切断装置に蛍光灯を挿通させた状態の横断面図である。
【符号の説明】
１      蛍光灯被膜の切断装置
２      蛍光灯
２ａ    蛍光灯の外周面
３      蛍光灯被膜
５      筒体
５５    筒体の内周面
６      板状刃、回転刃（切断刃）
９２    バネ（弾性体）
【図１】
2005022009.tif 000003
【図２】
2005022009.tif 000004
【図３】
2005022009.tif 000005